(57)【要約】【課題】  放送音声の出力音量が一時的に低減されたときにも、放送音声の内容を視聴者が把握することを可能とする。【解決手段】  ボリューム制御部１ｈは、受信した音声の出力音量をＣＰＵ１ｊの制御の下に調整する。提示処理部１ｅは、前記音声の内容を表す字幕の表示制御をＣＰＵ１ｊの制御の下に行う。ＣＰＵ１ｊは、字幕非表示が設定されていても、放送受信機１が音声の出力音量を低減する特定の動作状態（通話状態やユーザにより音量低減されている状態など）にあるときには字幕を表示させる。【選択図】      図１
2006279592.tif 000002
【特許請求の範囲】
【請求項１】
受信した音声の出力音量の調整と、前記音声の内容を表す字幕の表示制御とを行う機能を備えた放送受信機であって、
字幕非表示が設定されていても前記放送受信機が音声の出力音量を低減する特定の動作状態にあるときには前記字幕を表示させる制御手段を備えたことを特徴とする放送受信機。
【請求項２】
内蔵表示器を備えるか、または外部表示器を接続可能な放送受信機であって、
放送音声の出力音量を調整する手段と、
字幕非表示が設定されていても前記放送受信機が音声の出力音量を低減する特定の動作状態にあるときに、前記音声の内容を表す字幕を前記内蔵表示器または前記外部表示器に表示させる制御手段とを具備したことを特徴とする放送受信機。
【請求項３】
前記制御手段は、前記特定の動作状態では無くなってから所定の期間には前記字幕の表示を継続させることを特徴とする請求項１または請求項２に記載の放送受信機。
【請求項４】
前記放送受信機は、内蔵スピーカをさらに備えるか、または外部スピーカを接続可能であって、
前記制御手段は、電話回線を介して送られてくる音を前記内蔵スピーカまたは前記外部スピーカから出力する状態を前記特定の動作状態とすることを特徴とする請求項１または請求項２に記載の放送受信機。
【請求項５】
前記制御手段は、前記出力音量が閾値以下である状態を前記特定の動作状態とすることを特徴とする請求項１または請求項２に記載の放送受信機。
【発明の詳細な説明】
【技術分野】
【０００１】
本発明は、放送音声の出力を行うデジタル放送受信機などの放送受信機に関する。
【背景技術】
【０００２】
例えば、自動車内でテレビや音楽などの放送音声を視聴中にハンズフリー電話を利用すると、放送音声が通話の妨げになることや、スピーカ４を電話に利用していることなどを考慮して、自動的に放送音声の出力をミュートするか、あるいは放送音声の出力音量を下げる技術は既に実現されている（例えば、特許文献１および特許文献２を参照）。
【０００３】
デジタル放送においては、映像情報とともに字幕情報が付加されている場合がある。この字幕情報は、その表示／非表示を任意に設定することが可能である。なお、ここで言う字幕とは、番組内での会話などの内容を文字として表示するためのものである。
【特許文献１】特開平１０−３２０８９２号公報
【特許文献２】特開２００３−２６３８７２
【発明の開示】
【発明が解決しようとする課題】
【０００４】
字幕を常に表示しておけば、上記のように放送音声の出力が一時的に低減されたとしても、字幕から放送音声の内容を把握することが可能である。
【０００５】
しかしながら、字幕は映像に重ねて表示され、映像が見づらくなってしまうために、非表示に設定されることが多い。
【０００６】
このように字幕が非表示とされているときに、上記のように電話通話などのために一時的に放送音声の出力音量が低減されると、通話者以外の視聴者までも放送音声を聞くことが困難となってしまい、放送の内容が分かりにくくなってしまうという不具合があった。
【０００７】
本発明はこのような事情を考慮してなされたものであり、その目的とするところは、放送音声の出力音量が一時的に低減されたときにも、放送音声の内容を視聴者が把握することを可能とする放送受信機を提供することにある。
【課題を解決するための手段】
【０００８】
以上の目的を達成するために本発明は、受信した音声の出力音量の調整と、前記音声の内容を表す字幕の表示制御とを行う機能を備えた放送受信機に、字幕非表示が設定されていても前記放送受信機が音声の出力音量を低減する特定の動作状態にあるときには前記字幕を表示させる制御手段を備えた。
【０００９】
また前記の目的を達成するために本発明は、内蔵表示器を備えるか、または外部表示器を接続可能な放送受信機に、放送音声の出力音量を調整する手段と、字幕非表示が設定されていても前記放送受信機が音声の出力音量を低減する特定の動作状態にあるときに、前記音声の内容を表す字幕を前記内蔵表示器または前記外部表示器に表示させる制御手段とを備えた。
【発明の効果】
【００１０】
本発明によれば、放送音声の出力音量が一時的に低減されたときにも、放送音声の内容を視聴者が把握することを可能とすることができる。
【発明を実施するための最良の形態】
【００１１】
以下、図面を参照して本発明の一実施形態について説明する。  
図１は本実施形態に係る放送受信機１の構成を示すブロック図である。なお本実施形態においては、車載型のデジタル放送受信機を想定している。放送受信機１には、アンテナ２、テレビモニタ３、スピーカ４およびハンズフリー制御装置７が接続される。ハンズフリー制御装置７には、携帯電話機５およびマイクロホン（以下、マイクと称する）６が接続される。
【００１２】
放送受信機１は、チューナ／復調回路１ａ、ＭＰＥＧ−ＴＳデコーダ１ｂ、ビデオデコーダ１ｃ、字幕・文字スーパーデコーダ１ｄ、提示処理部１ｅ、オーディオデコーダ１ｆ、Ｄ／Ａ変換部１ｇ、ボリューム制御部１ｈ、リモートコントローラ（以下、リモコンと称する）１ｉ、ＣＰＵ１ｊ、スイッチ１ｋ、ＲＯＭ／ＲＡＭ１ｍおよびＣＰＵ１ｎを含む。
【００１３】
アンテナ２で受信された受信信号は、チューナ／復調回路１ａに送られる。チューナ／復調回路１ａは、任意の無線伝送チャネルを選局し、そのチャネルで伝送されるＭＰＥＧ２トランスポートストリームを復調する。選曲するべき無線チャネルは、ＣＰＵ１ｎからチューナ／復調回路１ａに通知される。ＭＰＥＧ−ＴＳデコーダ１ｂは、ＭＰＥＧ２トランスポートストリームから、任意の番組に関する映像・音声ストリーム、データ放送ストリーム、ならびに字幕・文字スーパーデータを分離・抽出する。抽出すべき番組は、ＣＰＵ１ｎからＭＰＥＧ−ＴＳデコーダ１ｂに通知される。
【００１４】
ビデオデコーダ１ｃは、ＭＰＥＧ−ＴＳデコーダ１ｂで抽出された映像ストリームから映像データをデコードする。字幕・文字スーパーデコーダ１ｄは、ＭＰＥＧ−ＴＳデコーダ１ｂで抽出された字幕・文字スーパーデータから字幕または文字スーパーを表す映像データをデコードする。なお、字幕とは、放送番組に付随して、通常はせりふなどの放送音声の内容を表す文字を表示するためのものである。文字スーパーとは、放送番組とは無関係な地震情報などの情報を表す文字を表示するためのものである。提示処理部１ｅは、ビデオデコーダ１ｃより出力される映像データが表す映像に、字幕・文字スーパーデコーダ１ｄより出力される映像データが表す映像を必要に応じて合成して表示用映像を作成した上で、この表示用映像を表す映像信号を生成する。テレビモニタ３は、提示処理部１ｅから出力された映像信号に従って、映像を表示する。なお、字幕・文字スーパーを表示するか否かは、ＣＰＵ１ｉから指示される。
【００１５】
オーディオデコーダ１ｆは、ＭＰＥＧ−ＴＳデコーダ１ｂで抽出された音声ストリームから音声データをデコードする。Ｄ／Ａ変換部１ｇは、上記の音声データをデジタル／アナログ変換して音声信号を得る。なお、Ｄ／Ａ変換部１ｇで得られる音声信号は、以下においては放送音声と称する。ボリューム制御部１ｈは、上記の放送音声信号の信号レベルをＣＰＵ１ｊの制御の下に調整する。ボリューム制御部１ｈによって信号レベルが調整された放送音声信号は、スイッチ１ｋの一方の入力端に入力される。スイッチ１ｋの他方の入力端には、携帯電話機５によって受信された音声信号（以下、受話音声信号と称する）がハンズフリー制御装置７を介して入力される。スイッチ１ｋは、ＣＰＵ１ｊの制御の下に放送音声信号および受話音声信号の一方を選択する。スピーカ４は、スイッチ１ｋにより選択された放送音声信号または受話音声信号に基づいて放送音声または受話音声を再生する。従って、ボリューム制御部１ｈは、放送音声に関する出力音量を調整するものである。
【００１６】
リモコン１ｉは、放送音声に関する音量の変更指示を入力する。ＣＰＵ１ｊは、リモコン１ｉで入力される変更指示に応じて放送音声の出力音量を変更するようにボリューム制御部１ｈを制御する。またＣＰＵ１ｊは、携帯電話機５の動作状態に応じてスイッチ１ｋを制御する。ＣＰＵ１ｊは他に、放送音声の出力音量や携帯電話機５の動作状態に応じて、提示処理部１ｅを制御する。
【００１７】
ＲＯＭ／ＲＡＭ１ｍは、ＣＰＵ１ｎのための制御プログラム等を格納する。ＣＰＵ１ｎは、任意の番組を受信するようにチューナ／復調回路１ａ、ＭＰＥＧ−ＴＳデコーダ１ｂ、ビデオデコーダ１ｃ、字幕・文字スーパーデコーダ１ｄおよびオーディオデコーダ１ｆを制御する。
【００１８】
携帯電話機５は、図示しない携帯電話網を介して電話通信を行う。マイク６は、送話音声を入力して、それに応じた送話音声信号を生成する。ハンズフリー制御装置７は、携帯電話機５の動作状態を監視して、ＣＰＵ１ｊに通知する。ハンズフリー制御装置７は、携帯電話機５により受信された受話音声信号をスイッチ１ｋへ送る。ハンズフリー制御装置７は、マイク６から出力された送話音声信号を携帯電話機５へ送る。
【００１９】
次に以上のように構成された放送受信機１の動作について説明する。
【００２０】
放送されている多数の番組のうちの例えばユーザにより指定された１つがチューナ／復調回路１ａおよびＭＰＥＧ−ＴＳデコーダ１ｂによって抽出される。この番組にビデオストリームが含まれているならば、このビデオストリームにより表される映像が、ビデオデコーダ１ｃおよび提示処理部１ｅによってテレビモニタ３に表示される。上記の番組に音声ストリームが含まれているならば、この音声ストリームにより表される放送音声がオーディオデコーダ１ｆ、Ｄ／Ａ変換部１ｇおよびボリューム制御部１ｈによってスピーカ４より再生される。上記の番組に字幕・文字スーパーデータが含まれる場合、この字幕・文字スーパーデータが表す字幕または文字スーパーは、字幕・文字スーパーデコーダ１ｄおよび提示処理部１ｅによってテレビモニタ３に表示することができる。ただし、字幕または文字スーパーは定常的に表示されるのではなく、ＣＰＵ１ｊの制御の下に提示処理部１ｅにより、字幕表示設定に従って必要に応じて表示される。字幕表示設定は、放送受信機１の設定項目の１つとしてユーザに設定されるものであり、リモコン１ｉで入力されるユーザの指示に応じてＣＰＵ１ｊが管理する。
【００２１】
図２は字幕表示設定の変更に係るＣＰＵ１ｊの処理手順を示すフローチャートである。  
ステップＳａ１においてＣＰＵ１ｊは、字幕制御メニューを提示処理部１ｅを介してテレビモニタ３に表示する。字幕制御メニューは、字幕に関してユーザが指定可能な項目などを示したメニューであり、「字幕表示する」と「字幕表示しない」との選択項目を含む。ユーザはこの字幕制御メニューに基づいて、リモコン１ｉより「字幕表示する」または「字幕表示しない」を指定する。
【００２２】
ステップＳａ２においてＣＰＵ１ｊは、「字幕表示する」および「字幕表示しない」のいずれを指定する選択操作がリモコン１ｉにて行われたかを確認する。「字幕表示する」が指定されたならばＣＰＵ１ｊは、ステップＳａ２からステップＳａ３へ進む。ステップＳａ３においてＣＰＵ１ｊは、字幕表示設定をオンにする。一方、「字幕表示しない」が指定されたならばＣＰＵ１ｊは、ステップＳａ２からステップＳａ４へ進む。ステップＳａ４においてＣＰＵ１ｊは、字幕表示設定をオフにする。
【００２３】
さて、携帯電話機５に着呼があった場合、携帯電話機５から発呼した場合、その旨が携帯電話機５からハンズフリー制御装置７を介してＣＰＵ１ｊに通知される。これに応じてＣＰＵ１ｊは、スイッチ１ｋをハンズフリー制御装置７側に切り換える。携帯電話機５により行われていた通話が終了した場合、その旨が携帯電話機５からハンズフリー制御装置７を介してＣＰＵ１ｊに通知される。これに応じてＣＰＵ１ｊは、スイッチ１ｋをボリューム制御部１ｈ側に切り換える。なお、放送受信機１に関して、このようにスイッチ１ｋがハンズフリー制御装置７側を選択している状態を通話中と称する。
【００２４】
一方、ＣＰＵ１ｊは、例えば一定の時間間隔毎などの予め定められたタイミングにて、図３に示す処理を実行する。  
ステップＳｂ１においてＣＰＵ１ｊは、通話中であるか否かを確認する。そして通話中であるならば、ＣＰＵ１ｊはステップＳｂ１からステップＳｂ２へ進む。ステップＳｂ２においてＣＰＵ１ｊは、字幕表示設定を確認する。字幕表示設定がオフであるならば、ＣＰＵ１ｊはステップＳｂ２からステップＳｂ３へ進む。ステップＳｂ３においてＣＰＵ１ｊは、一時表示フラグを確認する。なお一時表示フラグは、放送受信機１の電源がオンされたときに「０」に初期化される。一時表示フラグが「０」であるならば、ＣＰＵ１ｊはステップＳｂ３からステップＳｂ４へ進む。
【００２５】
ステップＳｂ４においてＣＰＵ１ｊは、字幕表示をオンするように提示処理部１ｅに指示する。この指示を受けて提示処理部１ｅは、字幕・文字スーパーデコーダ１ｄから出力される字幕データが表す字幕をテレビモニタ３に表示させる。そしてステップＳｂ５においてＣＰＵ１ｊは、一時表示フラグを「１」に変更し、この上で図３の処理を終了する。かくして、通話中には、放送音声をミュートして、スピーカ４から受話音声を出力するが、放送音声がミュートされてしまうことを補間するために、字幕表示設定がオフであっても字幕を表示させる。そしてこのような状態における字幕の表示を以下では一時表示と称する。そしてこの、一時表示が行われている状態においては、一時フラグが「１」とされる。
【００２６】
なお、字幕表示設定がオンであるか、あるいは一時表示フラグが「１」であるならば、既に字幕の表示が行われているから、ＣＰＵ１ｊはステップＳｂ２またはステップＳｂ３からそのまま図３の処理を終了することにより、現状の動作状態を維持する。
【００２７】
さて、通話中では無いときには、ＣＰＵ１ｊはステップＳｂ１からステップＳｂ６へ進む。ステップＳｂ６においてＣＰＵ１ｊは、一時表示フラグを確認する。上記のように一時表示を開始するきっかけとなった通話が終了された直後であれば、一時表示フラグは「１」となっている。このように一時表示フラグが「１」である場合にＣＰＵ１ｊは、ステップＳｂ６からステップＳｂ７へ進む。ステップＳｂ７においてＣＰＵ１ｊは、タイマを起動し、この上で図３の処理を終了する。このタイマは、例えばＣＰＵ１ｊによる別ルーチンの処理（図示せず）により実現される。タイマは、予め定められた時間（例えば３秒）を計時するものである。タイマの計時時間は、固定であっても良いし、ユーザが任意に指定した時間としても良い。
【００２８】
一方、一時表示フラグが「０」であるならば、ＣＰＵ１ｊはステップＳｂ６からそのまま図３の処理を終了することにより、現状の動作状態を維持する。
【００２９】
ＣＰＵ１ｊは、上記のタイマが起動されているときにおいて、例えば一定の時間間隔毎などの予め定められたタイミングにて、図４に示す処理を実行する。  
ステップＳｃ１においてＣＰＵ１ｊは、上記のタイマがタイムアップしたか否かを確認する。タイマがタイムアップしたならば、ＣＰＵ１ｊはステップＳｃ１かＲＡステップＳｃ２へ進む。ステップＳｃ２においてＣＰＵ１ｊは、字幕表示をオフするように提示処理部１ｅに指示する。この指示を受けて提示処理部１ｅは、字幕の表示を停止する。これにより、一時表示が停止される。そしてステップＳｃ３においてＣＰＵ１ｊは、一時表示フラグを「０」に変更し、この上で図４の処理を終了する。
【００３０】
タイマがタイムアップしていないならば、ＣＰＵ１ｊはステップＳｃ１からそのまま図４の処理を終了することにより、現状の動作状態を維持する。
【００３１】
かくして、一時表示を伴う通話が終了したのち、しばらくは一時表示が継続され、タイマがタイムアップしたことに応じて一時表示が停止される。
【００３２】
ところで、ユーザは、放送音声の出力音量の増大または低減を、リモコン１ｉを使用して指示することができる。このような操作がなされた場合にＣＰＵ１ｊは、図５に示すような処理を実行する。
【００３３】
ステップＳｄ１においてＣＰＵ１ｊは、なされたボリューム操作の内容を確認する。そして音量の低減が指示されたのであるならば、ＣＰＵ１ｊはステップＳｄ１からステップＳｄ２へ進む。ステップＳｄ２においてＣＰＵ１ｊは、現状の音量が最小値になっているか否かを確認する。最小値ではないならば、ＣＰＵ１ｊはステップＳｄ２からステップＳｄ３へ進む。ステップＳｄ３においてＣＰＵ１ｊは、音量を１段階低減するようにボリューム制御部１ｈに指示する。この指示を受けてボリューム制御部１ｈは、放送音声信号の信号レベルを一定の割合で低下させる。
【００３４】
ステップＳｄ４においてＣＰＵ１ｊは、字幕表示設定を確認する。字幕表示設定がオフとなっているならば、ＣＰＵ１ｊはステップＳｄ４からステップＳｄ５へ進む。ステップＳｄ５においてＣＰＵ１ｊは、上記のように低減したのちの音量が閾値と一致する否かを確認する。低減したのちの音量が閾値と一致するならば、ＣＰＵ１ｊはステップＳｄ５からステップＳｄ６へ進む。ステップＳｄ６においてＣＰＵ１ｊは、字幕表示をオンするように提示処理部１ｅに指示する。この指示を受けて提示処理部１ｅは、字幕・文字スーパーデコーダ１ｄから出力される字幕データが表す字幕をテレビモニタ３に表示させる。そしてステップＳｄ７においてＣＰＵ１ｊは、一時表示フラグを「１」に変更し、この上で図５の処理を終了する。かくして、ユーザからの指示に応じて放送音声の出力音量を低減するが、この音量が閾値まで低下したときには、字幕表示設定がオフであっても字幕を表示させる。そして、一時フラグを「１」としておく。
【００３５】
なお、変更前の音量が既に最小値である場合、字幕表示設定がオンである場合、あるいは変更後の音量が閾値と一致しない場合には、ＣＰＵ１ｊはステップＳｄ２、Ｓｄ４またはステップＳｄ５からそのまま図５の処理を終了することにより、現状の動作状態を維持する。
【００３６】
逆に音量の増大が指示されたのであるならば、ＣＰＵ１ｊはステップＳｄ１からステップＳｄ８へ進む。ステップＳｄ８においてＣＰＵ１ｊは、現状の音量が最大値になっているか否かを確認する。最大値ではないならば、ＣＰＵ１ｊはステップＳｄ８からステップＳｄ９へ進む。ステップＳｄ９においてＣＰＵ１ｊは、音量を１段階増大するようにボリューム制御部１ｈに指示する。この指示を受けてボリューム制御部１ｈは、放送音声信号の信号レベルを一定の割合で増大させる。
【００３７】
ステップＳｄ１０においてＣＰＵ１ｊは、上記のように増大したのちの音量が閾値と一致する否かを確認する。増大したのちの音量が閾値と一致するならば、ＣＰＵ１ｊはステップＳｄ１０からステップＳｄ１１へ進む。ステップＳｄ１１においてＣＰＵ１ｊは、一時表示フラグを確認する。上記のように音量の低減に伴って一時表示状態とされていたのであれば、一時表示フラグは「１」となっている。このように一時表示フラグが「１」である場合にＣＰＵ１ｊは、ステップＳｄ１１からステップＳｄ１２へ進む。ステップＳｄ１２においてＣＰＵ１ｊは、タイマを起動し、この上で図５の処理を終了する。このタイマは、図３において起動するタイマと同一である。
【００３８】
一方、変更前の音量が既に最大値である場合、変更後の音量が閾値と一致しない場合、あるいは一時表示フラグが「０」である場合には、ＣＰＵ１ｊはステップＳｄ８、Ｓｄ１０またはステップＳｄ１１からそのまま図５の処理を終了することにより、現状の動作状態を維持する。
【００３９】
以上のように本実施形態によれば、携帯電話機５を介した通話のために放送音声をミュートしているときには、字幕表示設定がオフであっても字幕が表示される。また、放送音声の出力音量がユーザにより閾値以下まで低減されているときには、字幕表示設定がオフであっても字幕が表示される。従って、これらの動作状態では、放送音声に内容を聞き取ることが困難であるが、字幕により目視により確認することが可能である。つまり、複数のユーザにより放送を視聴しているときに、そのうちの一部のユーザが通話する場合や、一部のユーザの事情により放送音声の出力音量が低減される場合でも、他のユーザは放送音声の内容を引き続き確認することができる。そしてこれらのユーザは、字幕表示設定をいちいちオン／オフする必要はない。
【００４０】
ところでデジタル放送の字幕は、実際の放送での会話に極力追従する内容とされている。例えば、放送中の番組で「お母さん、今日の晩ご飯はハンバーグがいいな。ぼくの大好物だから」という会話がなされている期間に表示するべき字幕として、「お母さん、今日の晩ご飯はハンバーグがいいな。ぼくの大好物だから」という内容が用意される。したがって、上記の会話の途中、例えば「お母さん、」までを言い終えたタイミングで字幕をオンする場合でも、「お母さん、今日の晩ご飯はハンバーグがいいな。ぼくの大好物だから」という字幕を表示することになる。このため、放送音声がミュートされるか、あるいは放送音声の出力音量が低減された時点で字幕の表示を開始しても、ユーザに違和感を与えることはない。
【００４１】
ところが、放送音声のミュートを解除したり、あるいは放送音声の出力音量を増大したタイミングで字幕の表示をオフすると、ユーザに違和感を与えたり、あるいはユーザが押送音声の内容を的確に把握できなくなってしまう恐れがある。例えば、上記の会話が開始されると「お母さん、今日の晩ご飯はハンバーグがいいな。ぼくの大好物だから」という字幕が表示されるが、「お母さん、」まで言い終えたタイミングで字幕をオフするならば、上記の字幕は一瞬だけ表示され、その後は「今日の晩ご飯はハンバーグがいいな。ぼくの大好物だから」という音声が出力されてしまう。
【００４２】
しかしながら本実施形態では、放送音声のミュートを解除するか、あるいは放送音声の出力音量を増大しても、タイマの計時時間のうちは字幕の一時表示を継続する。このため、この時間には、ユーザは放送音声および字幕の双方から放送音声の内容を的確に把握することができる。
【００４３】
この実施形態は、次のような種々の変形実施が可能である。  
通話に伴う字幕の一時表示と放送音声の出力音量の低減に伴う字幕の一時表示とのいずれか一方のみを行うようにしても良い。  
自動的に放送音声をミュートするか、あるいは出力音量を低減する場合、そのトリガとなる事象に拘わらずに本発明における字幕の一時表示を行うことが可能である。例えば、電話機のオンフック／オフフックの信号を入力し、電話機がオフフックである場合に放送音声をミュートまたは音量低減するとともに、字幕の一時表示を行うことが考えられる。これは、放送受信機のスピーカで受話音声の出力を行わないが、放送音声の出力が電話通話の邪魔にならないように放送受信機と電話機とを連携して動作させる場合に有効である。  
放送音声のミュートが解除されるか、あるいは放送音声の出力音量が増大されたことに応じて、即座に字幕の一時表示を停止するようにしても良い。  
携帯型や据置型などの放送受信機にも本発明の適用が可能である。  
接続される電話機も、有線電話機などの別のタイプであっても良い。  
アナログ放送を受信する放送受信機であっても良い。  
アンテナ２、テレビモニタ３、スピーカ４、携帯電話機５、マイク６およびハンズフリー制御装置７の一部あるいは全てが放送受信機１に内蔵されていても良い。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４５】
【図１】本発明の一実施形態に係る放送受信機１の構成を示すブロック図。
【図２】字幕表示設定の変更に係る図１中のＣＰＵ１ｊの処理手順を示すフローチャート。
【図３】通話に伴う字幕の一時表示に係る図１中のＣＰＵ１ｊの処理手順を示すフローチャート。
【図４】一時表示の解除に係る図１中のＣＰＵ１ｊの処理手順を示すフローチャート。
【図５】放送音声の出力音量の低減に伴う字幕の一時表示に係る図１中のＣＰＵ１ｊの処理手順を示すフローチャート。
【符号の説明】
【００４６】
１ａ…チューナ／復調回路、１ｂ…ＭＰＥＧ−ＴＳデコーダ、１ｃ…ビデオデコーダ、１ｄ…字幕・文字スーパーデコーダ、１ｅ…提示処理部、１ｆ…オーディオデコーダ、１ｇ…Ｄ／Ａ変換部、１ｈ…ボリューム制御部、１ｉ…リモートコントローラ（リモコン）、１ｊ，１ｎ…ＣＰＵ、１ｋ…スイッチ、１ｍ…ＲＯＭ／ＲＡＭ、１…放送受信機、２…アンテナ、３…テレビモニタ、４…スピーカ、５…携帯電話機、６…マイクロホン（マイク）、７…ハンズフリー制御装置。
【図１】
2006279592.tif 000003
【図２】
2006279592.tif 000004
【図３】
2006279592.tif 000005
【図４】
2006279592.tif 000006
【図５】
2006279592.tif 000007